(57)【要約】【課題】作業性を高めることができ、更には、安全性の高い高圧蒸気滅菌器を提供すること。【解決手段】チャンバ３の開口を筐体１の上部の略中央に臨ませ、蓋４をヒンジ５によって筐体１の上部に連結し、蓋４をヒンジ５を中心にして回動させて前記チャンバ３の開口を塞ぐようにすると共に、前記チャンバ３の開口に対して前記ヒンジ５と反対側の筐体１の上部に爪７を前記蓋４の周縁４ａに対して退出自在に配設し、該爪７を前記蓋４の周縁４ａに係合させて前記蓋４を閉成状態に保持させ、前記筐体１の下部側面に配設したペダル６と前記爪７とを連結手段１１を介して連結し、前記ペダル６を操作することによって前記爪７の前記蓋４への係合を解除させるようにした。【選択図】        図２
2005006927.tif 000002
【特許請求の範囲】
【請求項１】
チャンバの開口を筐体の上部の略中央に臨ませ、蓋をヒンジによって筐体の上部に連結し、蓋をヒンジを中心にして回動させて前記チャンバの開口を塞ぐようにすると共に、前記チャンバの開口に対して前記ヒンジと反対側の筐体の上部に爪を前記蓋の周縁に対して退出自在に配設し、該爪を前記蓋の周縁に係合させて前記蓋を閉成状態に保持させ、前記筐体の下部側面に配設したペダルと前記爪とを連結手段を介して連結し、前記ペダルを操作することによって前記爪の前記蓋への係合を解除させるようにしたことを特徴とする、高圧蒸気滅菌器。
【請求項２】
上記ベダルに電磁ソレノイドを配設し、且つフックを揺動自在に配設し、前記電磁ソレノイドのプランジャを前記フックに連結すると共に、前記フックを上記連結手段の下端に係合させて上記ペダルと上記爪とを連結し、前記電磁ソレノイドを所定のタイミングで励磁状態或いは非励磁状態とすることにより、前記フックと前記連結手段の下端との係合を解除し得るように構成したことを特徴とする、請求項１に記載の高圧蒸気滅菌器。
【請求項３】
上記フックと上記連結手段の下端との係合の解除が、高圧蒸気滅菌器の電源が切られている場合、及び高圧蒸気滅菌器が滅菌等の運転工程中にある場合に成されることを特徴とする、請求項２に記載の高圧蒸気滅菌器。
【請求項４】
上記爪と上記ベダルとの連結手段の適宜な位置に、所定以上の力が作用した場合に変形する弾性部材が配設されていることを特徴とする、請求項１乃至３のいずれかに記載の高圧蒸気滅菌器。
【請求項５】
上記弾性部材がトーションバーであることを特徴とする、請求項４に記載の高圧蒸気滅菌器。
【発明の詳細な説明】
【０００１】
【発明の属する技術分野】
本発明は、高圧蒸気滅菌器に関するもので、更に詳しくは、高圧蒸気滅菌器の蓋の係止機構に関するものである。
【０００２】
【従来の技術】
高圧蒸気滅菌器は、縦長の筐体内に、上方に開口するケーシングを配設し、該ケーシング内にチャンバを画成している。そして、筐体の上部には、蓋をヒンジによって筐体の上部に連結し、該蓋を前記ヒンジを中心にして開閉させるようにすると共に、チャンバの開口に対して前記ヒンジと反対側の筐体の上部にピンを配設し、蓋を閉成した状態で、ピンを蓋に係合させて蓋を密封状態に保持させている（例えば、特許文献１参照）。
【０００３】
【特許文献１】
特開２０００−１１６７５５号公報（図１）
【０００４】
【発明が解決しようとする課題】
このような高圧蒸気滅菌器では、筐体の上方前部に配設されている操作レバーを操作することによって蓋の係合を解除させる。
即ち、操作レバーを手によって操作する必要があることから、例えば、滅菌しようとする物品で手が塞がれている状態では、蓋を開くことができず、作業性が低下する場合がある。
【０００５】
そこで、本発明の目的は、作業性を高めることができ、更には、安全性の高い高圧蒸気滅菌器を提供することにある。
【０００６】
【課題を解決するための手段】
本発明の高圧蒸気滅菌器では、チャンバの開口を筐体の上部の略中央に臨ませ、蓋をヒンジによって筐体の上部に連結し、蓋をヒンジを中心にして回動させて前記チャンバの開口を塞ぐようにすると共に、前記チャンバの開口に対して前記ヒンジと反対側の筐体の上部に爪を前記蓋の周縁に対して退出自在に配設し、該爪を前記蓋の周縁に係合させて前記蓋を閉成状態に保持させ、前記筐体の下部側面に配設したペダルと前記爪とを連結手段を介して連結し、前記ペダルを操作することによって前記爪の前記蓋への係合を解除させるようにしたことを特徴としている。
この発明によれば、足でベダルを操作することによって蓋を開成することができ、作業性の良好な高圧蒸気滅菌器となる。
【０００７】
ここで、上記爪は、回動自在に筐体に配設してもよく、スライド自在に筐体に配設してもよい。また、上記爪と上記ペダルとは、適宜な連結手段、例えば、リンク機構，ワイヤー等によって連結させることができる。
【０００８】
また、本発明の高圧蒸気滅菌器では、上記発明において、上記ベダルに電磁ソレノイドを配設し、且つフックを揺動自在に配設し、前記電磁ソレノイドのプランジャを前記フックに連結すると共に、前記フックを上記連結手段の下端に係合させて上記ペダルと上記爪とを連結し、前記電磁ソレノイドを所定のタイミングで励磁状態或いは非励磁状態とすることにより、前記フックと前記連結手段の下端との係合を解除し得るように構成したことを特徴としている。
この発明によれば、上記爪と上記ペダルとの連結を所定の時期に解除できるため、蓋を開成することが危険である場合、例えば、高圧蒸気滅菌器が滅菌等の運転工程中にある場合に、ペダルを操作しても蓋が開成しないようにすることができ、安全性の高い高圧蒸気滅菌器となる。
【０００９】
更に、本発明の高圧蒸気滅菌器では、上記発明において、上記爪と上記ベダルとの連結手段の適宜な位置に、所定以上の力が作用した場合に変形する弾性部材が配設されていることを特徴としている。
この発明によれば、例えば滅菌工程中、即ち、チャンバ内が高圧状態にあり、蓋に係合している爪に高い圧力が作用している状態において、ペダルを操作しても、弾性部材の変形によってその操作量を吸収させることができ、爪が蓋から無理に離反させられることがなく、更に安全性の高い高圧蒸気滅菌器となる。
【００１０】
ここで、上記所定以上の力が作用した場合に変形する弾性部材としては、トーションバー，コイルバネ等が挙げられ、これらの弾性部材を爪とベダルとの間の連結手段の適宜な位置に配設することにより、爪に所定以上の力が作用している場合に、ペダルの変移を吸収させることができる。
【００１１】
【発明の実施の形態】
以下に、上記した本発明に係る高圧蒸気滅菌器の一実施の形態を、図面等を示して詳細に説明する。
【００１２】
図１は、本発明に係る高圧蒸気滅菌器を示した斜視図、図２は、蓋の係止機構を示した斜視図である。また、図３乃至図７は、蓋の係止機構の動作を示した動作図である。
【００１３】
図１に示した本発明に係る高圧蒸気滅菌器Ｍは、縦長の筐体１内に、上方に開口するケーシング２が設置され、該ケーシング２内にチャンバ３が画成されている。そして、筐体１の上部後方には、図２に示したように、蓋４がヒンジ５によって連結され、蓋４がヒンジ５を中心にして開閉される。また、筐体１の下部前方には、ペダル６が配置され、筐体１の上部前方には、上記蓋４を係止する二つの爪７，７が配置されている。
【００１４】
上記ペダル６は、その前端に踏込み部６ａを有し、図２に示したように、基端６ｂが筐体１の下部後方まで延設され、該基端６ｂが、軸８を介して筐体１に回動可能に支持されている。そして、このペダル６は、バネ９によって踏込み部６ａが上方に付勢されている。
【００１５】
また、この高圧蒸気滅菌器Ｍでは、図２に示したように、筐体１の内部の前部左右に、蓋４の係止機構１０，１０が構成されている。この係止機構１０，１０は、上記ペダル６と上記二つの爪７，７とを連結する連結手段１１，１１と、上記ペダル６と上記爪７との連結を断つ連結解除手段１２等から構成されている。
【００１６】
上記爪７は、レバー１３の先端に形成されている。レバー１３は、略Ｌ字形をなし、中間部に軸１４を有している。このレバー１３は、前記軸１４を介して筐体１に回動自在に支持され、該レバー１３と筐体１との間に配装された捩りコイルバネ１５によって、爪７が蓋４の方向に付勢されている。また、このレバー１３の後端には、孔１６が形成されている。
【００１７】
上記連結手段１１は、ロッド（リンク杆）１７、トーションバー１８、フック１９等によって構成されている。
【００１８】
上記ロッド１７は、上部と下部に雄ねじ１７ａ，１７ｂを有しており、上部の雄ねじ１７ａは上記レバー１３の孔１６に挿通されている。そして、ロッド１７の雄ねじ１７ａに螺合させたナット２０によって、上記レバー１３とロッド１７が互いに連結されている。また、ロッド１７の下部の雄ねじ１７ｂはターンバックル２１に螺合され、長さが調整し得るように構成されている。
【００１９】
上記トーションバー１８は、コ字形を成し、中間部１８ａが筐体１に回動自在に支持されている。そして、トーションバー１８の一端１８ｂは、上記ターンバックル２１を介して上記ロッド１７の下端に連結されている。また、左右のトーションバー１８の他端１８ｃ，１８ｃは、図２に示したように、連結部材１８ｄによって互いに連結されている。
【００２０】
上記フック１９は、図２及び図３に示したように、ペダル６の中間部６ｃに形成された孔２２から下方に延設され、その下端に設けた軸２３を介して、上記ペダル６に揺動自在に支持されている。そして、このフック１９は、該フック１９とペダル６との間に配装したバネ２４によって、上端が前方に付勢されている。
【００２１】
一方、上記連結解除手段１２は、ペダル６に載置固定された電磁ソレノイド２５と、該電磁ソレノイド２５のプランジャ２６と、該プランジャ２６と上記フック１９との間に介装されたバネ２７等によって構成され、前記電磁ソレノイド２５を所定のタイミングで励磁状態、或いは非励磁状態とすることにより、上記フック１９と上記トーションバー１８の連結部材１８ｄとの係合を維持したり、或いは係合を解除したりするように構成されている。
【００２２】
上記ように構成された本発明に係る高圧蒸気滅菌器Ｍは、以下のようにして作動される。
【００２３】
筐体１の側面に配設された電源スイッチ２８（図１参照）が操作されていない状態（電源ＯＦＦ状態）においては、上記電磁ソレノイド２５が非励磁状態にあり、フック１９はバネ２４の付勢力によって、図３に示したように、反時計方向に回動された状態に位置し、トーションバー１８の連結部材１８ｄから離反した状態にある。
また、爪７は、捩りコイルバネ１５の付勢力によって、同じく図３に示したように、蓋４の周縁に形成した段部４ａに係合している。
【００２４】
この状態で、ペダル６の踏込み部６ａを足で踏込むと、図４に示したように、ペダル６は反時計方向に回動される。それに伴って、フック１９も回動されるが、該フック１９はトーションバー１８の連結部材１８ｄと係合していないため、爪７は何ら移動せず、爪７は蓋４の段部４ａに係合した状態に維持される。
即ち、電源ＯＦＦの状態においては、ペダル６を踏込んでも、蓋４は開成されない。
【００２５】
図３の状態で、電源スイッチ２８を操作して電源を入れる（電源ＯＮ）と、電磁ソレノイド２５が励磁され、それによってプランジャ２６が作動され、バネ２７を介して、図５に示したように、フック１９がトーションバー１８の連結部材１８ｄに係合する。
【００２６】
この状態で、ペダル６の踏込み部６ａを足で踏込むと、図６に示したように、ペダル６は反時計方向に回動され、それに伴って、フック１９も回動される。フック１９が回動されると、トーションバー１８，ターンバックル２１，ロッド１７を介して、レバー１３が捩りコイルバネ１５の付勢力に抗して反時計方向に回動され、それによって爪７が蓋４の段部４ａから離反し、蓋４が開成される。
即ち、電源をＯＮ状態とすることにより、ペダル６によって蓋４を開成することが可能になり、ケーシング２内に被滅菌物を収納し得る。
【００２７】
被滅菌物を収納した後、蓋４を閉め、滅菌処理等の作業を開始するスタートキー（図示せず）を押すと、電磁ソレノイド２５の通電が停止され、電磁ソレノイド２５は再び非励磁状態となり、フック１９はバネ２４の付勢力によって、図３に示したように、再び反時計方向に回動された状態に位置し、トーションバー１８の連結部材１８ｄから離反した状態となる。
【００２８】
この状態で、ペダル６の踏込み部６ａを足で踏込むと、上記した電源ＯＦＦ状態の場合と同様に、ペダル６は反時計方向に回動されるが、図４に示したように、爪７は何ら移動せず、爪７は蓋４の段部４ａに係合した状態に維持される。
即ち、高圧蒸気滅菌器Ｍの運転中は、ペダル６を操作しても、蓋４が開かないように電磁ソレノイド２５を含む上記連結解除手段１２が働く。
【００２９】
滅菌処理等の作業工程が全て終了し、高圧蒸気滅菌器Ｍが蓋４を開成できる非運転状態と成ると、電磁ソレノイド２５が励磁され、それによってプランジャ２６が作動され、バネ２７を介して、図５に示したように、再度フック１９がトーションバー１８の連結部材１８ｄに係合し、ペダル６の踏込み部６ａを足で踏込むと、図６に示したように、レバー１３が反時計方向に回動され、それによって爪７が蓋４の段部４ａから離反し、蓋４が開成される。
【００３０】
被滅菌物をケーシング２内より取り出し、蓋４を閉め、電源スイッチ２８をＯＦＦ状態とすると、電磁ソレノイド２５は非励磁状態となり、フック１９はトーションバー１８の連結部材１８ｄから離反した状態となり、ペダル６を踏込んでも、蓋４が開成されない状態となる。
【００３１】
上記した動作が通常の作動状態であるが、万一、高圧蒸気滅菌器Ｍが運転中にもかかわらず、電磁ソレノイド２５が励磁状態となり、フック１９がトーションバー１８の連結部材１８ｄに係合した状態（図５の状態）にある場合でも、滅菌作業が行われている状態では、チャンバ３内の圧力が高圧になっているため、蓋４には上方に力Ｐが作用し、爪７が蓋４の段部４ａから離反し難い状態となる。
【００３２】
この状態で、ペダル６の踏込み部６ａを足で踏込んだ場合には、ペダル６は、図７に示したように、反時計方向に回動されるが、トーションバー１８には通常以上の力が作用することとなり、該トーションバー１８の筐体１に回動自在に支持された中間部１８ａが捩られて、そこでベダル６の踏込み量は吸収され、爪７を蓋４の段部４ａから無理に離反させることはない。
即ち、万一電磁ソレノイド２５を含む連結解除手段１２に異常が発生した場合にも、滅菌作業中は、ペダル６を作動させても、トーションバー１８の存在により、爪７に何ら影響を与えることはなく、蓋４は閉成状態が維持される。
【００３３】
以上、本発明に係る高圧蒸気滅菌器の一実施の形態に付き説明したが、本発明は、何ら既述の実施の形態に限定されず、本発明の技術的思想の範囲内において、種々の変形及び変更が可能であることは言うまでもない。
【００３４】
【発明の効果】
以上に説明したように、筐体の下部側面にペダルを配設した本発明に係る高圧蒸気滅菌器では、ペダルを足で操作することによって蓋を開成でき、手が塞がっている状態でも蓋の開成できるため、作業性が良好な高圧蒸気滅菌器を提供できる効果がある。
【００３５】
また、電磁ソレノイドによる連結解除手段を設けた本発明に係る高圧蒸気滅菌器では、爪とペダルとの連結を所定の時期に解除できるため、蓋を開成することが危険である場合、例えば、高圧蒸気滅菌器が滅菌等の運転工程中にある場合に、ペダルを操作しても蓋が開成しないようにすることができ、安全性の高い高圧蒸気滅菌器を提供できる効果がある。
【００３６】
更に、所定以上の力が作用した場合に変形する弾性部材を連結手段の適宜な位置に配設した本発明に係る高圧蒸気滅菌器では、例えば滅菌工程中、即ち、チャンバ内が高圧状態にあり、蓋に係合している爪に高い圧力が作用している状態において、ペダルを操作しても、弾性部材の変形によってその操作量を吸収させることができ、爪を蓋から無理に離反させることがなく、更に安全性の高い高圧蒸気滅菌器を提供できる効果がある。
【図面の簡単な説明】
【図１】本発明に係る高圧蒸気滅菌器を示した斜視図である。
【図２】蓋の係止機構を示した斜視図である。
【図３】蓋の係止機構の動作の一態様を示した動作図である。
【図４】蓋の係止機構の動作の一態様を示した動作図である。
【図５】蓋の係止機構の動作の一態様を示した動作図である。
【図６】蓋の係止機構の動作の一態様を示した動作図である。
【図７】蓋の係止機構の動作の一態様を示した動作図である。
【符号の説明】
１      筐体
２      ケーシング
３      チャンバ
４      蓋
５      ヒンジ
６      ペダル
６ａ    踏込み部
６ｂ    基端
６ｃ    中間部
７      爪
８      軸
９      バネ
１０    係止機構
１１    連結手段
１２    連結解除手段
１３    レバー
１４    軸
１５    捩りコイルバネ
１６    孔
１７    ロッド（リンク杆）
１７ａ，１７ｂ    雄ねじ
１８    トーションバー
１８ａ  トーションバーの中間部
１８ｂ  トーションバーの一端
１８ｃ  トーションバーの他端
１８ｄ  トーションバーの連結部材
１９    フック
２０    ナット
２１    ターンバックル
２２    孔
２３    軸
２４    バネ
２５    電磁ソレノイド
２６    プランジャ
２７    バネ
２８    電源スイッチ
【図１】
2005006927.tif 000003
【図２】
2005006927.tif 000004
【図３】
2005006927.tif 000005
【図４】
2005006927.tif 000006
【図５】
2005006927.tif 000007
【図６】
2005006927.tif 000008
【図７】
2005006927.tif 000009